(57)【要約】【課題】  本発明は、持ち運び時には嵩張らないでコンパクトになり、且つ使用に際してはワンタッチで網枠部分を広げ、釣った魚を掬い上げることができるようにし、しかも構造も簡単で耐久性に優れたタモ網を安価に提供しようとするものである。【解決手段】  竿の先端に固定される取付駒には、竿の先端方向に八の字状に広がる軸受け面を有する軸受け体を設け、この軸受け面の夫々には、網枠材の基端を該軸受け面に沿って回動自在なるよう外側に伏勢するバネを介して軸支し、これら網枠材は、竿の先端外方に回動した時に互いの網枠材の先端の距離が離れ、反対方向の竿側に回動したときに網枠材の互いの基端部と先端が各々接近し、中間は杼状に膨らむように曲折加工してあって、互いの網枠材の先端間には離間距離を規制する規制紐が設けてあり、これら網枠材と規制紐には網を設けると共に、網枠材の竿の先端外方と基端側への回動終点位置において定着自在とした折畳み式タモ網である。【選択図】  図１
2007319011.tif 000002
【特許請求の範囲】
【請求項１】
竿の先端に固定される取付駒には、竿の先端方向に八の字状に広がる軸受け面を有する軸受け体を設け、この軸受け面の夫々には、網枠材の基端を該軸受け面に沿って回動自在なるよう外側に伏勢するバネを介して軸支し、これら網枠材は、竿の先端外方に回動した時に互いの網枠材の先端の距離が離れ、反対方向の竿側に回動したときに網枠材の互いの基端部と先端が各々接近し、中間は杼状に膨らむように曲折加工してあって、互いの網枠材の先端間には離間距離を規制する規制紐が設けてあり、これら網枠材と規制紐には網を設けると共に、網枠材の竿の先端外方と基端側への回動終点位置において定着自在とした折畳み式タモ網。
【発明の詳細な説明】
【技術分野】
【０００１】
本発明は魚釣り、殊に川釣りに用いるタモ網の改良に関する。
【背景技術】
【０００２】
従来の渓流、川釣りなどの小魚用のタモ網は、竿と網枠部分の固定されたものが多く、持ち運びには嵩張り過ぎて不便である。そこで網枠部分の折り畳みが工夫されているが、構造が複雑であるばかりか、釣り上げるなどの使用に際しての迅速な対応ができない欠点がある。
【発明の開示】
【発明が解決しようとする課題】
【０００３】
そこで本発明は、持ち運び時には嵩張らないでコンパクトになり、且つ使用に際してはワンタッチで網枠部分を広げ、釣った魚を掬い上げることができるようにし、しかも構造も簡単で耐久性に優れ、且つ餌用の川虫採りにも使用できるタモ網を安価に提供しようとするものである。
【課題を解決するための手段】
【０００４】
竿の先端に固定される取付駒には、竿の先端方向に八の字状に広がる軸受け面を有する軸受け体を設け、この軸受け面の夫々には、網枠材の基端を該軸受け面に沿って回動自在なるよう外側に伏勢するバネを介して軸支し、これら網枠材は、竿の先端外方に回動した時に互いの網枠材の先端の距離が離れ、反対方向の竿側に回動したときに網枠材の互いの基端部と先端が各々接近し、中間は杼状に膨らむように曲折加工してあって、互いの網枠材の先端間には離間距離を規制する規制紐が設けてあり、これら網枠材と規制紐には網を設けると共に、網枠材の竿の先端外方と基端側への回動終点位置において定着自在としたものである。
【発明の効果】
【０００５】
本発明の効果として、持ち運び時に際しては網枠材を竿側に回動することにより先端が互いに接近して折畳まれ、嵩張らずコンパクトにして持ち運びができ、又使用に際しては網枠材の先端の定着を解いて軽くスイングするだけで、網枠材が軸受け体の軸受け面に沿って広がり、網枠材の回動終点位置において定着するので不用意な動きがなく安定した状態で使用でき、迅速且つ確実に釣った魚を掬い上げることができる。
又構造面でも、主たる構造は取付駒と網枠材となっているので、簡単で耐久性に優れ、且つ安価に提供できる。
更に使用時においては網枠材の先端間に規制紐が張設され直線状になっているので、川虫などの採取に便利である。勿論この場合の網目は川虫採取に適した細かいものを使用するとよい。
【実施例】
【０００６】
本発明を図示の実施例により詳記すると、竿１の先端に固定される取付駒２には、竿１の先端方向に八の字状に広がる軸受け面４，４を有する軸受け体３を設け、この軸受け面４，４の夫々には、網枠材５，５の基端を該軸受け面４，４に沿って回動自在なるよう外側に伏勢するバネ６を介しピン２０によりて軸支し、これら網枠材５，５は、竿の先端外方に回動した時に互いの網枠材５，５の先端５０，５０の距離が離れ、反対方向の竿１側に回動したときに網枠材５，５の互いの基端部５１，５１と先端５０，５０が各々接近し、中間５２，５２は杼状に膨らむように曲折加工してあって、互いの網枠材５，５の先端５０，５０間には離間距離を規制する規制紐７が設けてあり、これら網枠材５，５と規制紐７には細い網目の網８を設けると共に、網枠材５，５の竿１の先端外方と基端側への回動終点位置において定着自在としたものである。
【０００７】
竿１は、図示にあっては渓流竿３番で中にアルミパイプの芯材を挿入した伸縮式のものを使用しているが、単式竿を用いても良い。
【０００８】
網枠材５，５の竿１の先端外方への回動終点位置での定着手段としては、網枠材５，５の内側に引っ掛け凹部9を設けておき、この引っ掛け凹部９には取付駒２に補助バネ１０を介して設けたフック１１が掛止し、このフック１１は取付駒２上に前後にスライド自在に設けた外し具１２により強制的に回動させて引っ掛け凹部９とフック１１が外れるようにしてある。図中１３は外し具１２を前後に動かす取っ手で、棒バネ２３(中央部分がスライドピン１２”に衝当している。)に抗して竿１側に引くことにより、外し具１２の側面がフック１１の上部を外側に補助バネ１０に抗して押し出し、フック１１と引っ掛け凹部９との係合（定着）が解け、網枠材５，５は竿１側に回動操作できるようになる。１１’はフック１１の上部に嵌め込んだ滑り片で外し具１２の側面との滑りをよくするためのものである。図中１２’、１２’はスライド穴、１２”、１２”スライドピンである。その他の定着手段でもよい。
【０００９】
又網枠材５，５の竿１側への回動終点位置での定着手段としては、網枠材５，５の先端５０，５０には止め穴１４，１４を有する止め板１５，１５を設けると共に、竿１にに止め突起１６を設けて、止め穴１４，１４を止め突起１６に嵌合させ、その嵌合状態を止めフック１７により維持するようにしてあり、これら止め突起１６、止めフック１７は竿１に固定されている止め台２１にセットされており、フック１７はバネ１９により嵌合している止め板１５，１５上に出没自在となっており、フック１７の操作は取っ手１８により行うようになっている。図中２２は止め突起１６に嵌合されている止め板１５，１５を上方に押し上げる上げバネである。
【００１０】
又使用時における網枠材５，５は、図示のように下方に曲げているが、竿１と直線状になっていても、又上方に曲がっているようにしても良い。
【００１１】
網枠材５，５を、図１、図２に示すように竿１側に一点差線の折畳まれた状態から実線の使用状態にするには、取っ手１８をもって止めフック１７をバネ１９に抗して手前に引くことにより、止めフック１７が引かれて止め突起１６と止め板１５，１５が外れ、網枠材５，５がバネ6によって竿１の先端外方に回動させることにより引っ掛け凹部９とフック１１が掛止して定着状態となる。
【００１２】
又図１、図２の実線の使用状態から一点差線のように網枠材５，５を折畳むには、取っ手１３をもって竿１側に棒バネ３に抗して引くことにより外し具１２の側面がフック１１の上部を外側に押し出して、引っ掛け凹部９とフック１１が外れ、止め板１５，１５を上げバネ２２に抗して止め突起１６に嵌合し、止めフック１７により止めて定着させる。
【図面の簡単な説明】
【００１３】
【図１】本発明に係る折畳み式タモ網の正面説明図。
【図２】網枠材の側面に設けた引っ掛け凹部を引き出し拡大付記した同底面説明図。
【図３】取付駒部分の拡大平面説明図。
【図４】取付駒部分の分解説明図。
【図５】引っ掛け凹部とフックとの係合状態を示した側面説明図。
【図６】網枠材の竿への定着手段を示した分解説明図。
【符号の説明】
【００１４】
１：竿
２：取付駒
３：軸受け体
４：軸受け面
５：網枠材
５０，５０：先端
５１，５１：基端部
５２，５２：中間
６：バネ
７：規制紐
８：網
９：引っ掛け凹部
１０：補助バネ
１１：フック
１２：外し具
１３：取っ手
１４，１４：止め穴
１５，１５：止め板
１６：止め突起
１７：止めフック
１８：取っ手
１９：バネ
２０：ピン
２１：止め台
２２：上げバネ
２３：棒バネ
【図１】
2007319011.tif 000003
【図２】
2007319011.tif 000004
【図３】
2007319011.tif 000005
【図４】
2007319011.tif 000006
【図５】
2007319011.tif 000007
【図６】
2007319011.tif 000008